(57)【要約】女性に最も適切な女性用衛生製品の必要性を提供するためのシステムが提供される。前記システムはユーザー特有の情報を収集する及び処理する手段を提供する。前記手段は、ユーザーから情報を収集する工程、前記収集されたユーザーの情報に基づいて製品の推薦を作成する工程、前記製品の推薦の使用前に前記製品の推薦についてのフィードバックを前記ユーザーから受け取る工程、及び前記ユーザーのフィードバックに基づき、新しい製品の推薦を前記ユーザーに提供する工程を有する方法を提供する。
2004503014.tif 000002
【特許請求の範囲】
【請求項１】
ユーザーに最も適切な女性用衛生製品の必要物を提供するシステムであって、
ユーザー特有の情報を収集及び処理する手段を含み、該手段が
ｉ．ユーザーから情報を収集し、該収集されたユーザーの情報に基づき製品の推薦を作成する工程、
ｉｉ．前記製品の推薦を用いる前に、ユーザーから前記製品の推薦についてのフィードバックを受け取る工程、及び
ｉｉｉ．前記ユーザーのフィードバックに基づき、新しい製品の推薦をユーザーに提供する工程を提供する、システム。
【請求項２】
ユーザーの特別注文に応じて製作された女性用衛生製品の選択を包装する追加の工程を更に含む、請求項１に記載のシステム。
【請求項３】
ユーザーに最も適切な女性用衛生製品の必要物を提供するシステムであって、
ユーザー特有の情報を収集及び処理する手段を含み、該手段が、
ｉ．ユーザーから情報を収集する工程、
ｉｉ．前記収集されたユーザーの情報に基づき製品の推薦を作成する工程、
ｉｉｉ．前記製品の推薦を用いる前に、ユーザーから前記製品の推薦についての使用前のフィードバックを受け取る工程、
ｉｖ．前記ユーザーのフィードバックに基づき、新しい製品の推薦をユーザーに提供する工程、
ｖ．前記新しい製品の推薦を包装する工程、
ｖｉ．前記新しい製品の推薦をユーザーに送達する工程、
ｖｉｉ．前記新しい製品の推薦を使用する工程、
ｖｉｉｉ．ユーザーが、前記新しい製品の推薦の使用について使用後のフィードバックを提供する工程、及び
ｉｘ．前記ユーザーの使用後のフィードバックに基づき、新しい製品の推薦を提供する工程を提供する、システム。
【請求項４】
ユーザーに最も適切な女性用衛生製品の必要物を特別に製作するための対話型フィードバックデータ処理システムであって、
ユーザー特有の情報を対話形式で収集及び処理する手段を含み、該手段が、
ｉ．ユーザーから情報を収集する工程、
ｉｉ．前記収集されたユーザーの情報に基づき製品の推薦を作成する工程、
ｉｉｉ．ユーザーからの前記収集された情報を特別に処理するためにフィードバック・エンジンを使用する工程、
ｉｖ．前記収集されたユーザーの情報及びフィードバックに基づき、ユーザーのための適切な製品の選択を予測する工程、
ｖ．女性用衛生製品の特別に製作されたシステムを少なくとも２つの利用可能なシステムから選択する工程であって、各々の該利用可能なシステムが、少なくとも２つの異なる衛生製品からなり、該女性用衛生製品の特別に製作されたシステムがユーザーから収集された前記情報に基づいて選択される工程、
ｖｉ．前記特別に製作された女性用衛生製品の選択をユーザーに伝達する工程、並びに
ｖｉｉ．前記ユーザーの特別に製作された女性用衛生製品の選択を、ユーザーと共に検証及び完成するために前記フィードバック・エンジンを使用する工程を提供する、システム。
【請求項５】
ユーザー特有の情報を対話形式で収集及び処理するための手段が、ユーザーの特別注文に応じて製作された女性用衛生製品の選択を、出荷のために包装する追加の工程を含む、請求項１に記載の対話型フィードバックデータ処理システム。
【請求項６】
ユーザー特有の情報が身体構造のデータ、心理学的データ、年齢データ、及びこれらの組み合わせからなる群より選択される、請求項１に記載の対話型フィードバックデータ処理システム。
【請求項７】
ユーザー特有の情報が、前記ユーザーの特別注文に応じて製作された女性用衛生製品の選択とともに、少なくとも１つの追加の目標とされたサンプルを提供するために用いられるが、該目標とされたサンプルはユーザーには推奨されない、請求項１に記載の対話型フィードバックデータ処理システム。
【請求項８】
ユーザーに最も適切な女性用衛生製品の必要物を特別に製作するための対話型フィードバックデータ処理システムであって、
情報を対話形式で収集及び処理する手段を含み、該手段が、
ｉ．ユーザーから情報を収集する工程、
ｉｉ．前記収集されたユーザーの情報に基づき女性用衛生製品の推薦を作成する工程、
ｉｉｉ．ユーザーからの前記収集された情報を特別に処理するためにフィードバック・エンジンを使用する工程、
ｉｖ．前記収集されたユーザーの情報及びフィードバックに基づき、ユーザーのために最も適切な製品の選択を予測する工程、
ｖ．女性用衛生製品の特別に製作されたシステムを少なくとも２つの利用可能なシステムから選択する工程であって、各々の該利用可能なシステムが、少なくとも２つの異なる衛生製品からなり、該女性用衛生製品の特別に製作されたシステムがユーザーから収集された前記情報に基づいて選択される工程、
ｖｉ．前記特別に製作された女性用衛生製品の選択をユーザーに伝達する工程、
ｖｉｉ．前記ユーザーの特別に製作された女性用衛生製品の選択を、ユーザーと共に検証及び完成するために前記フィードバック・エンジンを使用する工程、
ｖｉｉｉ．前記ユーザーの特別に製作された女性用衛生製品の選択をユーザーに送達する工程、
ｉｘ．前記特別に製作された女性用衛生製品の選択について、その使用後にユーザーから使用後のフィードバックを受け取る工程、及び
ｘ．前記受け取った使用後のフィードバックから予測された、新しい製品の推薦をユーザーに作成する工程を提供する、システム。
【請求項９】
ユーザーに最も適切な女性用衛生製品の必要物を特別に製作するための対話型フィードバックデータ処理システムであって、
ａ．ユーザーにより使用されるパーソナル・コンピューター、
ｂ．接続により、前記パーソナル・コンピューターに接続可能である少なくとも１つのサーバー、
ｃ．前記サーバー上に位置し、前記接続を通じてユーザーによるアクセスが可能であるコンピューター・プログラムを含み、該コンピューター・プログラムが、
ｉ．ユーザーから情報を収集する工程、
ｉｉ．前記ユーザーの収集された情報に基づき女性用衛生製品の推薦を作成する工程、
ｉｉｉ．ユーザーからの前記収集された情報を特別に処理するためにフィードバック・エンジンを使用する工程、
ｉｖ．ユーザーのために最も適切な製品の選択を予測する工程、
ｖ．女性用衛生製品の特別に製作されたシステムを少なくとも２つの利用可能なシステムから選択する工程であって、各々の該利用可能なシステムが、少なくとも２つの異なる衛生製品からなり、該女性用衛生製品の特別に製作されたシステムがユーザーから収集された前記情報に基づいて選択される工程、及び
ｖｉ．前記特別に製作された女性用衛生製品の選択をユーザーに伝達する工程、
ｖｉｉ．前記ユーザーの特別に製作された女性用衛生製品の選択を、ユーザーと共に検証及び完成するために前記フィードバック・エンジンを使用する工程を提供する方法を有する、システム。
【請求項１０】
ユーザーに最も適切な女性用衛生製品の必要物を特別に製作するための対話型のインターネットに基づくデータ処理システムであって、
ａ．前記インターネットに接続可能であるユーザーにより使用されるパーソナル・コンピューター、
ｂ．前記インターネットに接続可能である少なくとも１つのサーバー、
ｃ．前記パーソナル・コンピューターと前記少なくとも１つのサーバーの間に確立されたインターネット接続、及び
ｄ．前記サーバー上に位置し、前記インターネット接続を通じてユーザーによるアクセスが可能であるコンピューター・プログラムを含み、前記コンピューター・プログラムが、
ｉ．ユーザーにより用いられるコンピューターを使用してユーザーから情報を収集する工程であって、前記コンピューターが前記インターネット、及び前記インターネットに接続された少なくとも１つのサーバーに接続され、該サーバーが前記インターネットに基づくフィードバックシステムを含有する工程、
ｉｉ．前記収集されたユーザーの情報に基づき女性用衛生製品の推薦を作成する工程、
ｉｉｉ．前記収集されたユーザーの情報に基づき女性用衛生製品の推薦を作成する工程、
ｉｖ．ユーザーからの前記収集された情報を特別に処理するためにフィードバック・エンジンを使用する工程、
ｖ．ユーザーのために最も適切な製品の選択を予測する工程、
ｖｉ．女性用衛生製品の特別に製作されたシステムを少なくとも２つの利用可能なシステムから選択する工程であって、各々の該利用可能なシステムが、少なくとも２つの異なる衛生製品からなり、該女性用衛生製品の特別に製作されたシステムがユーザーから収集された前記情報に基づいて選択される工程、
ｖｉｉ．前記特別に製作された女性用衛生製品の選択をユーザーに伝達する工程、
ｖｉｉｉ．前記ユーザーの特別に製作された女性用衛生製品の選択を検証するために前記フィードバック・エンジンを使用する工程、及び
ｉｘ．前記ユーザーのコンピューターにより予測された女性用衛生製品の選択を完成する工程を提供する方法を有する、システム。
【請求項１１】
最も適切な、特別に製作された女性用衛生製品の選択を提供するため、対話形式で情報を収集及び処理する方法であって、
ａ．ユーザーから情報を収集すること、
ｂ．前記収集されたユーザーの情報に基づき女性用衛生製品の推薦を作成すること、
ｃ．ユーザーからの前記収集された情報を特別に処理するためにフィードバック・エンジンを使用すること、
ｄ．ユーザーのために最も適切な製品の選択を予測すること、
ｅ．女性用衛生製品の特別に製作されたシステムを少なくとも２つの利用可能なシステムから選択することであって、各々の該利用可能なシステムが、少なくとも２つの異なる衛生製品からなり、該女性用衛生製品の特別に製作されたシステムがユーザーから収集された月経及び心理学的な情報に基づいて選択されること、
ｆ．前記特別に製作された女性用衛生製品の選択をユーザーに伝達すること、及び
ｇ．前記ユーザーの特別に製作された女性用衛生製品の選択を、ユーザーと共に検証及び完成するために前記フィードバック・エンジンを使用すること、を含む方法。
【発明の詳細な説明】
【０００１】
（発明の分野）
本発明は女性に最も適切な女性用衛生製品の必要物品を提供するためのシステムを提供し、これはユーザーから情報を収集する工程、前記収集されたユーザーの情報に基づいて製品の推薦を作成する工程、前記製品の推薦についての使用前のフィードバックを受け取る工程、及び前記ユーザーのフィードバックに基づき、新しい製品の推薦を前記ユーザーに提供する工程を包含する。
【０００２】
（発明の背景）
生理用ナプキン、パンティライナ、及び失禁パッドのような女性用衛生製品は下着の股領域に通常着用される考案物である。陰唇間考案物は着用者の陰唇間空間内に着用されるように通常設計される女性用衛生製品である。タンポンのような他の女性用衛生考案物は膣内部に着用されるように設計される。こうした考案物のすべては人体からの液及び他の排泄物を吸収、又はさもなければ含有し、体及び衣類の汚れを防止するように設計される。生理用ナプキンは女性によりパンティー内に着用される吸収性の物品の１つの型であり、通常は着用者の脚の間、体の会陰部に隣接して設置される。
多くの異なる基礎的設計を有する女性用衛生製品が該技術分野において既知である。これらの製品には幾つかの重要な特徴があるが、これらはこうした製品の性能に影響する。例えば、生理用ナプキンのような女性用衛生製品はその吸収力、その長さ、それらが覆う下着の領域、下着の厚さ、及びウィング又はフラップのような特定の特徴を包含するか、又は包含しないかについて異なる。
【０００３】
現在、生理用ナプキンのような女性用衛生製品は、１０から５０までの量の単一型の製品を含有する包装にて通常販売される。結果として多くの消費者は、すべての月経防護の必要性のために単一型の製品を購入し、使用する。体液を漏らさず封じ込めるのに必要な女性用衛生製品の特性（例えば長さ、領域、及び特徴）が、日中と夜間の使用ではかなり異なるかもしれないが実情はそうである。同様に、体液を漏らさず含有するのに必要な女性用衛生製品の特性は、体の大きさ及び月経周期の特性のような要因に基づく消費者の異なる群について変わるであろう。
女性用衛生製品に関して現在の状況を更に複雑にしているのは、利用可能な多数の異なる型の製品により、消費者はどの製品が自分たちの防護の必要性に最も良く合うかを判断するのについて、惑わされることが多いという事実である。典型的な小売店の最近の調査によると、１０３の異なる型の女性用衛生製品が消費者への販売用に陳列されていた。最近の別の調査によると、おおよそ７０％の消費者が調査に先立つ６ヶ月間内に少なくとも１度は間違った型の生理用ナプキン及び／又はパンティライナを購入したことを報告している。明らかに、女性用衛生製品のユーザーのための女性用製品の特注生産の必要性が存在する。
【０００４】
本発明の開発において消費者による女性用衛生製品システムの使用は、すべての月経防護の目的に対して単一型の製品を用いることに比べて、優れた防護、及び安心を消費者に提供することが見出された。それにもかかわらず、利用可能な選択肢が少ないため適切なシステムの選択が困難である。現在市販されている多数の異なる型の製品に基づくと、単に２つの異なる型の女性用衛生製品を含有するシステムについて、１０，０００を優に超える可能な組み合わせが存在すると推定される。システムが２つを超える異なる製品を包含する場合を考えると、この数は幾何学的に増加する。
理想的には、女性用衛生製品の適切なシステムは２以上の利用可能なシステムから選択され、その場合こうしたシステムの各々は消費者の特定の群のために設計されている。特定の群の一員であることは、体の大きさ及び月経周期の特性のような要因に基づいている。
【０００５】
本発明の方法の開発中に、多くの女性（特に重い流れ強度を実際にはもたない女性）は他の消費者に比べて流れ強度を正しく説明するのが上手くないことが又見出された。最も最近の利用可能な女性用衛生製品は、多様な利用可能な製品間の差を、単に消費者自身の流れ強度又は全体の防護の必要性についての消費者の評価の言葉で説明しているにすぎない。女性用衛生製品システムのより良い製品選択は、単に感知された流れだけではなく、少なくとも部分的には防護の必要性の指標に頼る本発明の方法により得られることが見出された。理想的にはこうした指標の少なくとも幾つかは、大部分の消費者に既知であるはずの情報の客観的な部分である。この方法によると消費者は、どの製品が彼らの必要物に最も良く適合するかを想像する必要なしに、より容易に適切な女性用衛生製品システムを供給され得る。女性用衛生製品システムの選択及び使用のための理想的方法は又、消費者が流れ強度の自己認識のような主観（及び多くの場合正しくない指標）のみに単に基づいてシステムを選択する必要性を排除する。
【０００６】
別の所望は、インターネットのような対話型媒体において用い得る、特別注文に応じて製作された女性製品の選択システムを提供することである。インターネット、パーソナル・コンピューター、及び１つ以上のサーバーにより、ユーザーはコンピューター・プログラムにアクセスすることができ、このコンピューター・プログラムにより流れ特性に関する客観的データを入力できるだけでなく、又、及びコンピューターの特別注文に応じて製作された女性製品の選択をフィードバックし補正する（即ち「微調整する」）ことができる。
【０００７】
特別な製品選択の概念は取り上げられてきた。１９９８年１１月２４日にミラー（Ｍｉｌｌｅｒ）に発行された米国特許第５，８３９，５８５号は、ユーザーに吸収製品の１つ以上の型の選択を許可する吸収製品を販売するための方法を記載している。しかしながらこうした選択はコンピューターの使用を提供せず、論点となっているインターネットに基づくシステムでもない。１９９９年２月２日にミラー（Ｍｉｌｌｅｒ）に発行された米国特許第５，８６５，３２２号は、コンピューターを用いた女性用衛生製品の選択を提供するが、女性用衛生製品の対話型選択（例えばフィードバック・エンジンを使用すること）については教示しておらず、インターネット上のこうした製品選択については提供されていない。１９９９年９月７日にミラー（Ｍｉｌｌｅｒ）に発行された米国特許第５，９４７，３０２号は、対話型コンピューターによる女性製品の選択を提供することにより、前の２つの特許よりは少し近いが、こうした対話性はユーザーによる３〜４の入力に限られ、及びユーザーがそれによりコンピューターの選択を補正又は「微調整」できるフィードバック・エンジンがない；又ミラー（Ｍｉｌｌｅｒ）の‘３０２号はインターネット上でのこうしたコンピューター選択を用いない。
【０００８】
そのため女性用衛生製品の特別注文に応じて製作されたシステムの選択及び使用のための方法を提供することは、本発明の１つの目的である。
１以上の利用可能なシステムからの、女性用衛生製品システムの、特別注文に応じて製作された選択のための方法であって、その選択は少なくとも消費者の体の大きさ、及び好ましくは消費者の月経周期に関連する特定の特性に関する、消費者から集められた情報に基づいている方法を提供することは、本発明の別の目的である。
消費者の特別な群に適合するシステムであって、及び用いた場合に、単一型の女性用衛生製品を使用した場合と比べて汚れの発生率の減少を達成できるであろう女性用衛生製品のシステムの選択及び使用のための方法を提供することは、本発明の又１つの目的である。
【０００９】
適切な女性用衛生製品システムの選択及び使用のための信頼できる方法を提供することは、本発明の更なる目的であり、この方法の中で消費者により集められた情報は、大部分の消費者により既知であると期待される少なくとも幾つかの客観的部分の情報を包含する。
本発明のこれらの及び他の目的は、以下の説明を参考にして、及び添付図面と共に考察した場合により容易に明らかになるであろう。
【００１０】
（発明の概要）
従って、本発明はユーザーに最も適切な女性用衛生製品の必要性を提供するためのシステムを提供する。その上本発明はユーザー特有の情報を収集する及び処理する手段を含む。本手段はユーザーから情報を収集する工程、前記収集されたユーザーの情報に基づいて製品の推薦を作成する工程、前記製品の推薦の使用前に前記製品の推薦についてのフィードバックをユーザーから受け取る工程、及び前記ユーザーのフィードバックに基づき、新しい製品の推薦を前記ユーザーに提供する工程を提供する。本システムは更に好ましくは前記ユーザーの特別注文に応じて製作された女性用衛生製品を出荷のため包装する工程を含んでもよい。又好ましくは前記新しい製品の推薦は前記ユーザーに送達されるであろう。前記ユーザーは前記製品を使用するであろうし、次に前記新しい製品の推薦の使用についての使用後のフィードバックを前記システムに与える機会を少なくとも１回は提供されるであろう。この使用後の推奨に基づき、新しい使用後の製品の推薦が作成されてもよい。
【００１１】
（発明の詳細な説明）
本発明はユーザーに最も適切な女性用衛生製品の必要性を提供するためのシステムを提供する。その上本発明はユーザー特有の情報を収集する及び処理する手段を含む。本手段はユーザーから情報を収集する工程、前記収集されたユーザーの情報に基づいて製品の推薦を作成する工程、前記製品の推薦の使用前に前記の推薦製品についてのフィードバックをユーザーから受け取る工程、及び前記ユーザーのフィードバックに基づき、新しい製品の推薦を前記ユーザーに提供する工程を提供する。本システムは更に好ましくは、前記ユーザーの特別注文に応じて製作された女性用衛生製品の選択を出荷する（即ち前記ユーザーに前記製品を出荷する）ため、包装する追加の工程を含んでもよい。又好ましくは前記新しい製品の推薦は前記ユーザーに送達されるであろう。前記ユーザーは前記製品を使用するであろうし、次に前記新しい製品の推薦の使用についての使用後のフィードバックを前記システムに与える機会を提供されるであろう。この使用後のフィードバックに基づき、新しい使用後の製品の推薦が作成されてもよいし、及び好ましくは作成されるであろう。
【００１２】
上記のすべての工程はユーザーから情報を収集する単独のオペレーターの手により達成されてもよい。最も好ましくは上記の機能は、データ収集、及びユーザー情報の処理の１以上の段階における、コンピューターへのある種の入力を伴う。例えば具体的なユーザー入力のために作成されたプログラムを内蔵するコンピューターを用いてもよい。「具体的なユーザー入力」という言葉は、本明細書ではコンピューター・プログラムが、ユーザーの月経周期に関する、ユーザーの生理構造、身体構造、及び心理学的傾向に関連した具体的な質問をすることを意味する。
【００１３】
コンピューター・プログラムは好ましくは、女性ユーザーから、その女性の月経周期に関する、その女性の生理構造、身体構造、及び心理学的傾向について明確で正確な応答を集めるために特別に設計されたものである。「心理学的傾向」又は「心理学的」という言葉は、本明細書では女性の月経周期（即ちその女性の全２８〜３０日周期）についてのその女性の態度に具体的に関連する情報（即ち精神的及び／又は感情的傾向）を意味する。その上女性の心理学的情報は、その女性の生理に関するその女性の態度及び／又は気分を正しく判断することにより、その女性の製品を使用する傾向を認識するために用いられる。例えば下記の実施例Ｉを参照のこと。生理についての女性の態度は、幾つかの基礎的な性格の特徴と合わさって、生理の防護のために少なくとも１つの型の製品をその他のものより使用する傾向を提供し得ることが統計的に示されている。
【００１４】
コンピューター・プログラムは、パーソナル又はラップトップ・コンピューター上、又は１つ以上の他のサーバー及び／又はコンピューターによりアクセス可能なサーバー上を基盤としてもよい。最も好ましくはコンピューター・プログラムは、ダイアルアップ接続を介してのインターネットを介して、又はコンピューター・ネットワークを通じてアクセス可能である。コンピューター・プログラムは又インターネットを回避する簡単なダイアルアップ接続によりアクセス可能であってもよい。
【００１５】
プログラムの１つの主要な目標は、ユーザーと対話型フィードバックデータ処理システム（ＩＦＤＰ）の間に高度な対話型経験を提供することである。別の目標は女性ユーザーに真に特別注文に応じて製作された女性用衛生製品の選択を提供することである。製品選択には、店の規格品型の選択では入手できない特別の及び好ましくは個別の包装による１つ以上の型の製品が包含されてもよい。最初の製品の推薦についてのフィードバックをユーザー提供する場合、何かが推奨される場合はこのユーザーは、選択された製品数、選択された型、及び提供された特別の及び／又は個別の包装を変えてもよい。この使用前のフィードバックから、ＩＦＤＰはユーザーから提供された使用前のフィードバックをすぐに用いて別の製品の推薦を作成する。「使用前のフィードバック」という言葉は本明細書では、ユーザーが彼女の製品の推薦を使用する機会を持つ前に、ユーザーから最初に提供されたフィードバックを意味する。
一旦ＩＦＤＰは第２の又は新しい製品の推薦を作成する。その結果ユーザーは、彼女の推奨が特別に包装され、及び次に彼女のところへ送られることを選び得る。ユーザーは又彼女の最終の製品の推薦が作成される前に、追加のフィードバックを、最終の製品の推薦がＩＦＤＰにより作成される前に提供することが可能である。一旦最終の製品の推薦が作成されると、製品は特別注文に応じて製作されたと言われ、即ち作成され女性用製品選択者の個人使用のため番号付けされる。
【００１６】
本明細書の１つの実施例において、ユーザーに最も適切な女性用衛生製品の必要性の特別注文に応じるために、対話的フィードバックデータ処理システムが用いられる。本システムはユーザーにより用いられるパーソナル・コンピューター、及び１つ以上の接続によりパーソナル・コンピューターに接続される少なくとも１つのサーバーを含む。コンピューター・プログラムは好ましくはサーバー上に位置し、及び接続を通じてユーザーによりアクセス可能である。本コンピューター・プログラムは以下の工程を有する方法を提供する：
ｉ．ユーザーから情報を収集する工程、
ｉｉ．前記収集されたユーザーの情報に基づき、女性用衛生製品の推薦を作成する工程、
ｉｉｉ．前記ユーザーから前記収集された情報を特別に処理するため前記コンピューター・プログラム内のフィードバック・エンジンを使用する工程、
ｉｖ．前記ユーザーのために最も適切な製品の選択を予測する工程、
ｖ．女性用衛生製品の特別注文に応じて製作されたシステムを、少なくとも２つの利用可能なシステムから選択する工程であって、その際各々の前記利用可能なシステムは、少なくとも２つの異なる衛生製品からなり、及びその際前記女性用衛生製品の特別注文に応じて製作されたシステムは前記ユーザーから収集された前記情報に基づいて選択される工程、
ｖｉ．前記特別注文に応じて製作された女性用衛生製品の選択を前記ユーザーに伝達する工程、及び
ｖｉｉ．前記ユーザーの特別注文に応じて製作された女性用衛生製品の選択を、前記ユーザーと共に検証する及び完成するために前記フィードバック・エンジンを使用する工程。
【００１７】
本明細書のなお別の実施例においては、上記の７つの工程を使用するが、ユーザーに最も適切な女性用衛生製品の必要性を特別注文に応じて製作するための、対話型の、インターネットに基づくデータ処理システムが提供されており、これはユーザーにより使用されるパーソナル・コンピューターを含み、このパーソナル・コンピューターは少なくとも１つのサーバーに前記インターネットを通じて接続されている。換言すれば、前記ユーザーのパーソナル・コンピューター及び前記サーバーはインターネット接続を介して互いに接続されている。前の実施例におけるように１つ以上のコンピューター・プログラムが前記サーバー上に設置されている。
【００１８】
（実施例）
理想的な生理日についてのあなたの考えを、どちらがより良く表していますか。
Ａ）すっかり化粧してそして美しく、一番素敵な服を着て、飛行機で熱帯の島に飛んで行くが、そこにはとても魅力的な男性達が私に会おうと待っている。
Ｂ）豪奢な入浴をして、一番居心地の良いソファーにおいしいチョコレートの大きな箱を持って寝そべり、好きな映画を全部テレビで見て、そして友達と電話でおしゃべりする。
答えが「Ａ」である場合はタンポンの包含を推奨するという結果になり、一方答えが「Ｂ」である場合はパッドを包含するであろう。上記の質問は、きっかけを作り次に女性の生理により起こる女性の態度及び／又は気分を認識するために特別に設計されている。上記の種類の質問はティーンエイジャーを対象にしている。
【００１９】
本特許出願書中で言及する全ての特許の明細書、特許出願書（及び出願した結果発行されたあらゆる特許並びに、対応する発行済みのあらゆる外国の特許出願書）及びあらゆる発行物は、本説明に参考として組み込まれる。しかし、本説明に参考として組み込まれた書類のいずれも、本発明の教示及び開示を行っていないことを明言する。又、本明細書で記載する市販素材及び製品のいずれも、本発明の教示及び開示を行っていないことを明言する。
【図面の簡単な説明】
本明細書は、本発明を形成すると見なされる対象を特に指摘し、及び明確に請求する請求項で締めくくられているが、本発明は添付図面と共に行われる以下の説明により、更に良く理解されるであろうと考えられ、この添付図面においては、実質的に等しい要素を指定するために類似の表記が用いられている。
【図１】本明細書の製品選択の１つの処理を示す流れ図である。
【図２】本明細書の製品選択の別の処理を示す流れ図である。
【図１】
2004503014.tif 000003
【図２】
2004503014.tif 000004
【国際公開パンフレット】
2004503014.tif 000005
2004503014.tif 000006
2004503014.tif 000007
2004503014.tif 000008
2004503014.tif 000009
2004503014.tif 000010
2004503014.tif 000011
2004503014.tif 000012
2004503014.tif 000013
2004503014.tif 000014
2004503014.tif 000015
2004503014.tif 000016
2004503014.tif 000017
2004503014.tif 000018
2004503014.tif 000019
2004503014.tif 000020
2004503014.tif 000021
2004503014.tif 000022
2004503014.tif 000023
【国際公開パンフレット（コレクトバージョン）】
2004503014.tif 000024
2004503014.tif 000025
【国際調査報告】
2004503014.tif 000026
2004503014.tif 000027